(57)【特許請求の範囲】
【請求項１】
差動信号を伝送する差動信号伝送用ケーブルを複数備えた多芯ケーブルの端部に設けられる多芯ケーブルコネクタであって、
基板と、
前記基板に形成され、一端に前記差動信号伝送用ケーブルが電気的に接続され、差動信号を伝送する複数対の伝送線路と、
前記基板に形成され、前記複数対の伝送線路の他端に電気的に接続され、コネクタ接続時に、接続対象となる受け側コネクタの電極に電気的に接続される複数対のコンタクトパッドと、
前記複数対の伝送線路の他端部と前記複数対のコンタクトパッドとの間にそれぞれ設けられ、前記伝送線路よりも高い差動インピーダンスを有する複数対の高インピーダンス線路と、を備え、
少なくとも、隣り合う前記伝送線路の対に対応する前記高インピーダンス線路が、異なる線路長に形成され、
隣り合う前記高インピーダンス線路の対の線路長の差が、伝送する差動信号の中心周波数に対応する波長の１％以上３％以下である、
多芯ケーブルコネクタ。
【請求項２】
前記複数対の高インピーダンス線路は、同じ線路幅に形成されている、
請求項１に記載の多芯ケーブルコネクタ。
【請求項３】
前記複数対の高インピーダンス線路は、対ごとに異なる線路長に形成されている、
請求項１又は２に記載の多芯ケーブルコネクタ。
【請求項４】
前記高インピーダンス線路は、伝送する差動信号の中心周波数に対応する波長の２％以上５％以下の線路長に形成される、
請求項１乃至３の何れか１項に記載の多芯ケーブルコネクタ。
【請求項５】
差動信号を伝送する差動信号伝送用ケーブルを複数備えた多芯ケーブルと、前記多芯ケーブルの少なくとも一方の端部に設けられた多芯ケーブルコネクタと、を備えたコネクタ付きケーブルであって、
前記多芯ケーブルコネクタは、
基板と、
前記基板に形成され、一端に前記差動信号伝送用ケーブルが電気的に接続され、差動信号を伝送する複数対の伝送線路と、
前記基板に形成され、前記複数対の伝送線路の他端に電気的に接続され、コネクタ接続時に、接続対象となる受け側コネクタの電極に電気的に接続される複数対のコンタクトパッドと、
前記複数対の伝送線路の他端部と前記複数対のコンタクトパッドとの間にそれぞれ設けられ、前記伝送線路よりも高い差動インピーダンスを有する複数対の高インピーダンス線路と、を備え、
少なくとも、隣り合う前記伝送線路の対に対応する前記高インピーダンス線路が、異なる線路長に形成され、
隣り合う前記高インピーダンス線路の対の線路長の差が、伝送する差動信号の中心周波数に対応する波長の１％以上３％以下である、
コネクタ付きケーブル。
【発明の詳細な説明】
【技術分野】
【０００１】
本発明は、多芯ケーブルコネクタ及びコネクタ付きケーブルに関する。
【背景技術】
【０００２】
従来、差動信号を伝送する差動信号伝送用ケーブルを複数備えた多芯ケーブルの端部に、多芯ケーブルコネクタを設けたコネクタ付きケーブル（ダイレクトアタッチケーブル、ＤＡＣ）が知られている。
【０００３】
コネクタ付きケーブルに用いられる多芯ケーブルコネクタは、基板と、基板に形成された配線パターンからなり差動信号を伝送する複数対の伝送線路と、伝送線路の他端に電気的に接続された複数対のコンタクトパッドと、を有している。
【０００４】
コンタクトパッドは、基板のケーブル接続側と反対側の端部に整列して形成されており、コネクタ接続時に、接続対象となる受け側コネクタの電極に電気的に接続される。
【０００５】
なお、この出願の発明に関連する先行技術文献情報としては、特許文献１がある。
【先行技術文献】
【特許文献】
【０００６】
【特許文献１】特許第４６７３１９１号公報
【発明の概要】
【発明が解決しようとする課題】
【０００７】
ところで、コンタクトパッドは、そのサイズが規格等により規定されており、伝送線路よりも広い幅に形成されることが一般的である。
【０００８】
そのため、コンタクトパッドでは、伝送線路よりも特性インピーダンス（差動インピーダンス）が低下してしまい、伝送線路とコンタクトパッドとの間でインピーダンスの不整合が生じ、信号品質の劣化につながってしまうという問題がある。
【０００９】
また、一般的に、多芯ケーブルコネクタでは、各対の伝送線路が互いに線路長が等しくなるように形成されている（等長配線になっている）ため、対間の共振により特定の周波数においてクロストークが大きくなってしまう（クロストーク波形にピークが発生してしまう）という問題がある。
【００１０】
そこで、本発明は、コンタクトパッドでのインピーダンス不整合を抑制でき、かつ、対間の共振によるクロストーク特性の劣化を抑制可能な多芯ケーブルコネクタ及びコネクタ付きケーブルを提供することを目的とする。
【課題を解決するための手段】
【００１１】
本発明は、上記課題を解決することを目的として、差動信号を伝送する差動信号伝送用ケーブルを複数備えた多芯ケーブルの端部に設けられる多芯ケーブルコネクタであって、基板と、前記基板に形成され、一端に前記差動信号伝送用ケーブルが電気的に接続され、差動信号を伝送する複数対の伝送線路と、前記基板に形成され、前記複数対の伝送線路の他端に電気的に接続され、コネクタ接続時に、接続対象となる受け側コネクタの電極に電気的に接続される複数対のコンタクトパッドと、前記複数対の伝送線路の他端部と前記複数対のコンタクトパッドとの間にそれぞれ設けられ、前記伝送線路よりも高い差動インピーダンスを有する複数対の高インピーダンス線路と、を備え、少なくとも、隣り合う前記伝送線路の対に対応する前記高インピーダンス線路が、異なる線路長に形成されている、多芯ケーブルコネクタを提供する。
【００１２】
また、本発明は、上記課題を解決することを目的として、差動信号を伝送する差動信号伝送用ケーブルを複数備えた多芯ケーブルと、前記多芯ケーブルの少なくとも一方の端部に設けられた多芯ケーブルコネクタと、を備えたコネクタ付きケーブルであって、前記多芯ケーブルコネクタは、基板と、前記基板に形成され、一端に前記差動信号伝送用ケーブルが電気的に接続され、差動信号を伝送する複数対の伝送線路と、前記基板に形成され、前記複数対の伝送線路の他端に電気的に接続され、コネクタ接続時に、接続対象となる受け側コネクタの電極に電気的に接続される複数対のコンタクトパッドと、前記複数対の伝送線路の他端部と前記複数対のコンタクトパッドとの間にそれぞれ設けられ、前記伝送線路よりも高い差動インピーダンスを有する複数対の高インピーダンス線路と、を備え、少なくとも、隣り合う前記伝送線路の対に対応する前記高インピーダンス線路が、異なる線路長に形成されている、コネクタ付きケーブルを提供する。
【発明の効果】
【００１３】
本発明によれば、コンタクトパッドでのインピーダンス不整合を抑制でき、かつ、対間の共振によるクロストーク特性の劣化を抑制可能な多芯ケーブルコネクタ及びコネクタ付きケーブルを提供できる。
【図面の簡単な説明】
【００１４】
【図１】（ａ）は本発明の一実施の形態に係る多芯ケーブルコネクタを備えたコネクタ付きケーブルの概略構成図、（ｂ）はそのＡ部拡大図である。
【図２】多芯ケーブルコネクタを受け側コネクタに接続した際の断面図である。
【図３】（ａ），（ｂ）は、対間クロストークのシミュレーション結果を説明する図である。
【発明を実施するための形態】
【００１５】
［実施の形態］
以下、本発明の実施の形態を添付図面にしたがって説明する。
【００１６】
（多芯ケーブルコネクタの全体構造）
図１（ａ）は、本実施の形態に係る多芯ケーブルコネクタを備えたコネクタ付きケーブルの概略構成図、（ｂ）はそのＡ部拡大図である。
【００１７】
図１（ａ），（ｂ）に示すように、多芯ケーブルコネクタ１は、差動信号を伝送する差動信号伝送用ケーブル２を複数備えた多芯ケーブル３の端部に設けられている。多芯ケーブル３の少なくとも一方の端部に多芯ケーブルコネクタ１を設けたものが、本実施の形態に係るコネクタ付きケーブル１００である。
【００１８】
差動信号伝送用ケーブル２は、１対の信号導体２ａと、信号導体２ａを一括してまたは個別に被覆する絶縁体（不図示）と、絶縁体の外周に設けられたシールド導体２ｂと、シールド導体２ｂの外周に設けられたシース２ｃと、を備えている。ここでは、信号導体２ａを伝送される差動信号が２５Ｇｂ／ｓ（ギガビット毎秒）である場合を説明する。
【００１９】
多芯ケーブル３は、複数本の差動信号伝送用ケーブル２をより合わせ、その周囲にジャケット３ａを被覆して構成されている。ここでは、４チャネルの送受信を可能とするために８本の差動信号伝送用ケーブル２を備えた多芯ケーブル３を用いた。なお、図１（ａ）では、基板４の表面Ｓに接続される４本の差動信号伝送用ケーブル２のみを示しているが、基板４の裏面にも４本の差動信号伝送用ケーブル２が接続されている。
【００２０】
多芯ケーブルコネクタ１は、基板４と、差動信号を伝送する複数対の伝送線路５と、伝送線路５の端部に電気的に接続された複数対のコンタクトパッド６と、を備えている。
【００２１】
基板４としては、例えば、誘電体としてＦＲ４（Flame Retardant Type 4）を用いた多層基板を用いることができる。伝送線路５とコンタクトパッド６は、基板４に形成された配線パターン（銅箔）から構成される。ここでは、１０ＧＨｚにおける比誘電率εｒが３．６となる誘電体を用いた基板４を用いた。
【００２２】
本実施の形態では、８本の差動信号伝送用ケーブル２に対応するように、８対の伝送線路５と８対のコンタクトパッド６が基板４に形成されている。基板４の表面Ｓには４対の伝送線路５と４対のコンタクトパッド６が形成され、図示していないが、基板４の裏面にも４対の伝送線路５と４対のコンタクトパッド６が形成されている。
【００２３】
伝送線路５の一端には、差動信号伝送用ケーブル２の信号導体２ａを接続するためのケーブル側パッド７がそれぞれ形成されている。このケーブル側パッド７に信号導体２ａをはんだ等により固定することで、伝送線路５の一端に信号導体２ａが電気的に接続される。
【００２４】
また、基板４におけるケーブル側パッド７よりも一端側（ケーブル接続側）の端部には、差動信号伝送用ケーブル２のシールド導体２ｂを接続するためのケーブル側グランドパッド８が形成されている。このケーブル側グランドパッド８にシールド導体２ｂをはんだ等により固定することで、シールド導体２ｂと基板４のグランドパターン（不図示）とが電気的に接続される。なお、グランドパターンは、例えば、多層基板からなる基板４の内層に形成され、グランドパターンとケーブル側グランドパッド８とがスルーホールを介して電気的に接続されている。図１（ａ）では、２本の差動信号伝送用ケーブル２で共通となるようにケーブル側グランドパッド８を形成しているが、差動信号伝送用ケーブル２毎に個別にケーブル側グランドパッド８を形成してもよい。
【００２５】
コンタクトパッド６は、伝送線路２の他端（ケーブル側パッド７と反対側の端）に電気的に接続されており、基板４の他端部（ケーブル接続側と反対側の端部）に整列して形成されている。すなわち、基板４の他端部には、基板４の表裏面にコンタクトパッド６が整列して形成されることで、カードエッジコネクタが形成されている。なお、符号６ａは、基板４のグランドパターンに電気的に接続されたグランド接続用コンタクトパッドである。グランド接続用コンタクトパッド６ａは、コンタクトパッド６の一部であり、信号伝送用の各対のコンタクトパッド６を整列方向において挟み込むように配置されている。
【００２６】
図２に示すように、多芯ケーブルコネクタ１をコネクタ接続する際には、基板４の他端部を接続対象となる受け側コネクタ２１に挿入する。このとき、基板４の他端部に形成されたコンタクトパッド６が、受け側コネクタ２１の電極２２と電気的に接続され、多芯ケーブル３と受け側コネクタ２１を搭載した通信機器（不図示）とが、多芯ケーブルコネクタ１と受け側コネクタ２１とを介して電気的に接続されることになる。
【００２７】
（高インピーダンス線路の説明）
図１（ａ），（ｂ）に戻り、本実施の形態に係る多芯ケーブルコネクタ１では、複数対の伝送線路５の他端部と複数対のコンタクトパッド６との間にそれぞれ設けられ、伝送線路５よりも高い差動インピーダンス（差動配線の特性インピーダンス）を有する複数対の高インピーダンス線路９を備えている。
【００２８】
コンタクトパッド６では、伝送線路５の線路幅よりも幅が広く形成され、隣り合うコンタクトパッド６間の間隔も短くなるため、伝送線路５よりも差動インピーダンスが低下する。本実施の形態では、コンタクトパッド６の直近に差動インピーダンスの高い高インピーダンス線路９を設けることで、コンタクトパッド６での差動インピーダンスの低下を相殺し、伝送線路５とコンタクトパッド６間のインピーダンス不整合を抑制している。
【００２９】
ここでは、グランド接続用コンタクトパッド６ａを含むコンタクトパッド６の幅Ｗ１を０．５０〜０．６３ｍｍとし、コンタクトパッド６の整列方向における配置ピッチＰを０．８ｍｍとした。また、図１（ａ）における最も左側のグランド接続用コンタクトパッド６ａの中心から、最も右側のグランド接続用コンタクトパッド６ａの中心までの距離Ｗ２を１４．４０ｍｍとした。また、伝送線路５の線路幅Ｗ３を０．２ｍｍとした。
【００３０】
さらに、本実施の形態では、少なくとも、隣り合う伝送線路５の対に対応する高インピーダンス線路９が、異なる線路長Ｌに形成されている。
【００３１】
従来の多芯ケーブルコネクタでは、各対の伝送線路の線路長が等しくなるように構成されているのが一般的であるが、このように各対で伝送線路の長さが同じに設定されている場合、各対における共振周波数が同じとなり、特定の周波数でクロストークが大きくなってしまう。
【００３２】
本実施の形態では、少なくとも隣り合う高インピーダンス線路９の対の線路長Ｌを異ならせることで、クロストークの影響が最も大きくなる隣り合う対において、共振周波数を異ならせており、これにより特定の周波数でクロストークが大きくなることを抑制している。なお、本実施の形態では、伝送線路５と高インピーダンス線路９とを足し合わせた線路長が各対で等しくなるように構成されてもよい。
【００３３】
本実施の形態では、複数対の高インピーダンス線路９は、同じ線路幅Ｗ４に形成されており、その線路長Ｌを異ならせることで、各対の共振周波数を異ならせるように構成されている。高インピーダンス線路９の線路幅Ｗ４は、伝送線路５の線路幅Ｗ３よりも小さく設定される。ここでは、伝送線路５の差動インピーダンスが１００Ω、コンタクトパッド６の差動インピーダンスが９０Ω程度であったことを考慮し、線路幅Ｗ４を０．１ｍｍとし、高インピーダンス線路９の差動インピーダンスを１４０Ωに設定した。高インピーダンス線路９を設けることで、コンタクトパッド６の差動インピーダンスを９５Ω程度まで改善し、伝送線路５とコンタクトパッド６間のインピーダンス不整合を抑制することが可能である。
【００３４】
なお、高インピーダンス線路９の線路長Ｌを一定とし、線路幅Ｗ４を各対で異ならせることで、各対の共振周波数を異ならせることも考えられる。しかし、線路幅Ｗ４を細くすることには限界があるため、線路幅Ｗ４の違いにより、各対の共振周波数をクロストークを十分に抑制できる程度に異ならせることは困難であり、また、線路幅Ｗ４を異ならせると製造時の誤差が各対でばらばらになるおそれがあり、クロストーク抑制の効果を十分に得ることができない場合も考えられる。なお、高インピーダンス線路９の線路幅Ｗ４は、信頼性の観点から、０．１ｍｍ以上とすることが望ましい。
【００３５】
つまり、高インピーダンス線路９を、一定の線路幅Ｗ４とし、各対で線路長Ｌを異ならせるように構成することで、容易に各対の共振周波数を異ならせることができ、製造時の誤差の影響も受けにくくなる。
【００３６】
高インピーダンス線路９の線路長Ｌは、少なくとも隣り合う対で異なっていればよく、隣り合わない高インピーダンス線路９の線路長Ｌが等しく設定されていても構わない。また、高インピーダンス線路９の線路長を対ごとに異ならせ、対ごとに共振周波数を異ならせるように構成してもよい。
【００３７】
本実施の形態では、図１（ａ）における左側から右側にかけて、各対の高インピーダンス線路９の線路長Ｌを、５００μｍ、３００μｍ、５００μｍ、３００μｍに設定したところ、高インピーダンス線路９を設けない従来技術と比較して、クロストーク波形のピーク値を約３ｄＢ低下させることができた。また、図１（ａ）における左側から右側にかけて、各対の高インピーダンス線路９の線路長Ｌを、３００μｍ、４００μｍ、５００μｍ、６００μｍとした場合についても、高インピーダンス線路９を設けない従来技術と比較して、クロストーク波形のピーク値を約３ｄＢ低下させることができた。
【００３８】
なお、高インピーダンス線路９の線路長Ｌを３００μｍ未満と短くした場合、伝送線路５とコンタクトパッド６のインピーダンス不整合を抑制する効果が十分に得られないおそれがある。また、高インピーダンス線路９の線路長Ｌを６００μｍより長くすると、高インピーダンス線路９と伝送線路５間、あるいは高インピーダンス線路９とコンタクトパッド６間のインピーダンス不整合が問題となり、信号品質が劣化してしまうおそれがある。
【００３９】
したがって、本実施の形態においては、高インピーダンス線路９の線路長Ｌを３００μｍ以上６００μｍ以下とすることが望ましいといえる。ここで、本実施の形態では、伝送する差動信号が２５Ｇｂ／ｓ（中心周波数が１２．５ＧＨｚ）であり、基板４の比誘電率εｒが３．６であるから、基板４による波長短縮効果を考慮した波長は約１２．６ｍｍとなる。このことから、高インピーダンス線路９の線路長Ｌは、伝送する差動信号の中心周波数に対応する波長（基板４による波長短縮効果を考慮した波長）の２％以上５％以下であることが望ましいといえる。
【００４０】
また、隣り合う高インピーダンス線路９の対の線路長Ｌの差が小さすぎると、隣り合う対で共振周波数が同等となり、クロストーク波形のピーク値を抑制する効果が十分に得られないと考えられる。
【００４１】
上述のように、少なくとも、隣り合う高インピーダンス線路９の対の線路長Ｌの差を１００μｍ以上とすることで、クロストーク波形のピーク値を抑制できることが確認できたため、隣り合う高インピーダンス線路９の対の線路長Ｌの差は、少なくとも、伝送する差動信号の中心周波数に対応する波長の１％以上３％以下とすることが望ましいといえる。なお、隣り合う高インピーダンス線路９の対の線路長Ｌの差を３％より大きくすると、全ての高インピーダンス線路９の線路長Ｌを、伝送する差動信号の中心周波数に対応する波長の２％以上５％以下の範囲とすることができなくなる。また、上述のように、インピーダンス不整合を抑制するという観点から高インピーダンス線路９の線路長Ｌは３００μｍ以上とすることが望ましいことから、隣り合う高インピーダンス線路９の対の線路長Ｌの差は、最も短い高インピーダンス線路９の線路長の３０％以上とすることが望ましいといえる。
【００４２】
ここで、本実施の形態の効果を確認するために行った実験の結果について説明する。
【００４３】
図３（ａ）に示すように、一端が信号入力に接続され他端が５０Ω終端に接続されたレーン１（第１の対）から、一端が５０Ω終端に接続され他端が信号出力に接続されたレーン２（第２の対）へのクロストークを実測により求めた。ここでは、レーン１の高インピーダンス線路９の線路長Ｌを５００μｍとし、レーン２の高インピーダンス線路９の線路長Ｌを３００μｍとした。また、両レーンの高インピーダンス線路９の線路幅Ｗ４は０．１ｍｍとし、高インピーダンス線路９の差動インピーダンスを１４０Ωとした。
【００４４】
また、高インピーダンス線路９を備えない従来例についても、同様に実験を行った。結果をまとめて図３（ｂ）に示す。
【００４５】
図３（ｂ）に示すように、異なる線路長Ｌの高インピーダンス線路９を設けた実施例（実線）では、高インピーダンス線路９を備えない従来例（破線）と比較して、周波数７〜８ＧＨｚに生じるクロストーク波形のピーク値が、３ｄＢ程度改善していることが分かる。このように、異なる線路長Ｌの高インピーダンス線路９を設けることで、対間の共振によるクロストーク特性の劣化を抑制することが可能である。
【００４６】
（実施の形態の作用及び効果）
以上説明したように、本実施の形態では、複数対の伝送線路５の他端部と複数対のコンタクトパッド６との間にそれぞれ設けられ、伝送線路５よりも高い差動インピーダンスを有する複数対の高インピーダンス線路９を備え、少なくとも、隣り合う伝送線路５の対に対応する高インピーダンス線路９が、異なる線路長Ｌに形成されている。
【００４７】
高インピーダンス線路９をコンタクトパッド６の直近に備えることで、コンタクトパッド６での差動インピーダンスの低下を相殺し、伝送線路５とコンタクトパッド６間のインピーダンス不整合を抑制することが可能になる。その結果、インピーダンス不整合に起因する反射等の損失を抑制し、信号品質の劣化を抑制することが可能になる。
【００４８】
また、少なくとも隣り合う対で高インピーダンス線路９の線路長Ｌを異ならせることで、クロストークの影響が最も大きい隣り合う対において共振周波数をずらすことが可能になり、特定の周波数でクロストークが大きくなってしまうこと、すなわち、クロストーク波形のピークを抑制することが可能になる。つまり、本実施の形態によれば、対間の共振によるクロストーク特性の劣化を抑制することが可能になる。
【００４９】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００５０】
［１］差動信号を伝送する差動信号伝送用ケーブル（２）を複数備えた多芯ケーブル（３）の端部に設けられる多芯ケーブルコネクタ（１）であって、基板（４）と、前記基板（４）に形成され、一端に前記差動信号伝送用ケーブル（２）が電気的に接続され、差動信号を伝送する複数対の伝送線路（５）と、前記基板（４）に形成され、前記複数対の伝送線路（５）の他端に電気的に接続され、コネクタ接続時に、接続対象となる受け側コネクタ（２１）の電極（２２）に電気的に接続される複数対のコンタクトパッド（６）と、前記複数対の伝送線路（５）の他端部と前記複数対のコンタクトパッド（６）との間にそれぞれ設けられ、前記伝送線路（５）よりも高い差動インピーダンスを有する複数対の高インピーダンス線路（９）と、を備え、少なくとも、隣り合う前記伝送線路（５）の対に対応する前記高インピーダンス線路（９）が、異なる線路長に形成されている、多芯ケーブルコネクタ（１）。
【００５１】
［２］前記複数対の高インピーダンス線路（９）は、同じ線路幅に形成されている、［１］に記載の多芯ケーブルコネクタ（１）。
【００５２】
［３］前記複数対の高インピーダンス線路（９）は、対ごとに異なる線路長に形成されている、［１］又は［２］に記載の多芯ケーブルコネクタ（１）。
【００５３】
［４］前記高インピーダンス線路（９）は、伝送する差動信号の中心周波数に対応する波長の２％以上５％以下の線路長に形成される、［１］乃至［３］の何れか１項に記載の多芯ケーブルコネクタ（１）。
【００５４】
［５］隣り合う前記高インピーダンス線路（９）の対の線路長の差が、伝送する差動信号の中心周波数に対応する波長の１％以上３％以下である、［１］乃至［４］の何れか１項に記載の多芯ケーブルコネクタ（１）。
【００５５】
［６］差動信号を伝送する差動信号伝送用ケーブル（２）を複数備えた多芯ケーブル（３）と、前記多芯ケーブル（３）の少なくとも一方の端部に設けられた多芯ケーブルコネクタ（１）と、を備えたコネクタ付きケーブル（１００）であって、前記多芯ケーブルコネクタ（１）は、基板（４）と、前記基板（４）に形成され、一端に前記差動信号伝送用ケーブル（２）が電気的に接続され、差動信号を伝送する複数対の伝送線路（５）と、前記基板（４）に形成され、前記複数対の伝送線路（５）の他端に電気的に接続され、コネクタ接続時に、接続対象となる受け側コネクタ（２１）の電極（２２）に電気的に接続される複数対のコンタクトパッド（６）と、前記複数対の伝送線路（５）の他端部と前記複数対のコンタクトパッド（６）との間にそれぞれ設けられ、前記伝送線路（５）よりも高い差動インピーダンスを有する複数対の高インピーダンス線路（９）と、を備え、少なくとも、隣り合う前記伝送線路（５）の対に対応する前記高インピーダンス線路（９）が、異なる線路長に形成されている、コネクタ付きケーブル（１００）。
【００５６】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００５７】
本発明は、その趣旨を逸脱しない範囲で適宜変形して実施することが可能である。
【００５８】
例えば、上記実施の形態では言及しなかったが、多芯ケーブルコネクタ１の受信側の伝送線路５に、受信した差動信号の補償や増幅を行う補償回路を備えてもよい。
【符号の説明】
【００５９】
１…多芯ケーブルコネクタ
２…差動信号伝送用ケーブル
３…多芯ケーブル
４…基板
５…伝送線路
６…コンタクトパッド
９…高インピーダンス線路
２１…受け側コネクタ
２２…電極
１００…コネクタ付きケーブル
【図１】
0006524826.tif 000002
【図２】
0006524826.tif 000003
【図３】
0006524826.tif 000004